(57)【要約】地面へねじ込むためのグラウンドアンカであって、上方の端部の領域に地面に支持可能な接地部と操作装置とを有するシャフトを備え、前記シャフトを中心として回旋させられた面状の材料から成る複数のスクリュースレッドブレードを有し、該スクリュースレッドブレードが前記シャフトに沿ってわずかな間隔でずらされて配置されかつそれぞれ上方と下方のブレード端部を有するスクリュースレッドから成っており、個々のスクリューブレードのスレッド長さが３６０゜をいくらか越えて延びており、前記ブレード端部が、上側及び下側で面状に制限されたカッティングギャップを形成して周方向で互いにオーバラップさせられており、前記接地部から下方のシャフト端部に向かってブレードからブレードへ減少する外径をブレードが有している形式のものにおいて、シャフト先端が木ねじシャフトの形式で構成され、下方の自由なシャフト端部に向かって円錐状に尖らされたコアと該コアを中心として回旋させられた連続したスクリュースレッドとを有していること。
2004520505.tif 000002
【特許請求の範囲】
【請求項１】
地面へねじ込むためのグラウンドアンカであって、上方の端部（８ａ）の領域に、地面に支持可能な接地部（８）と操作装置（９）とを有するシャフト（３）を備え、前記シャフト（３）を中心として回旋させられた面状の材料から成る複数のスクリュースレッドブレード（５，６，７）を有し、該スクリュースレッドブレード（５，６，７）が前記シャフト（３）に沿ってわずかな間隔でずらされて配置されかつそれぞれ上方と下方のブレード端部を有するスクリュースレッドから成っており、個々のスクリューブレード（５，６，７）のスレッド長さが３６０゜をいくらか越えて延びており、前記ブレード端部（１１，１２）が、上側及び下側で面状に制限されたカッティングギャップ（１１ａ）を形成して周方向で互いにオーバラップさせられており、前記接地部（８）から下方のシャフト端部に向かってブレードからブレードへ減少する外径をブレード（５，６，７）が有している形式のものにおいて、シャフト先端（２２）が木ねじシャフトの形式で構成され、下方の自由なシャフト端部（２５）に向かって円錐状に尖らされたコア（２３）と該コア（２３）を中心として回旋させられた連続したスクリュースレッド（２７）とを有していることを特徴とする、グラウンドアンカ。
【請求項２】
前記シャフト先端（２２）のコア（２３）の領域におけるスクリュースレッド（２７）のリード角が、互いに間隔をおいて配置されたブレード（５，６，７）のリード角よりも大きい、請求項１記載のグラウンドアンカ。
【請求項３】
前記シャフト先端（２２）の領域におけるスクリュースレッド（２７）が前記コア（２３）から外へ向かって楔形に尖らされた横断面プロフィールを有している、請求項１又は２記載のグラウンドアンカ。
【請求項４】
前記スクリュースレッド（２７）の高さが自由なシャフト端部（２５）における終端領域を除いてほぼ一定である、請求項１から３までのいずれか１項記載のグラウンドアンカ。
【請求項５】
前記シャフト（３）におけるシャフト先端（２２）が正確にセンタリングされて配置されている、請求項１から４までのいずれか１項記載のグラウンドアンカ。
【請求項６】
前記操作装置（９）の揺動ヘッド（１３）におけるボールソケット（１４ａ）がクランプねじ（２０）を用いて、調節された揺動位置に係止可能である、請求項１から５までのいずれか１項記載のグラウンドアンカ。
【請求項７】
前記クランプねじ（２０）が芋ねじである、請求項１から６までのいずれか１項記載のグラウンドアンカ。
【請求項８】
互いに間隔をおいて配置された前記ブレード（５，６，７）の最下位のブレード（７）が下方の終端縁部（１２ｂ）において、互いに間隔をおいて配置されたブレード（５，６，７）の残りのブレードに対し強められた折れ曲がりを有している、請求項１から７までのいずれか１項記載のグラウンドアンカ。
【発明の詳細な説明】
【技術分野】
【０００１】
本発明は地面へねじ込むためのグラウンドアンカであって、上方の端部の領域に地面に支持可能な接地部と操作装置とを有するシャフトを備え、前記シャフトを中心として回旋させられた面状の材料から成る複数のスクリュースレッドブレードを有し、該スクリュースレッドブレードが前記シャフトに沿ってわずかな間隔でずらされて配置されかつそれぞれ上方と下方のブレード端部を有するスクリュースレッドから成っており、個々のスクリューブレードのスレッド長さが３６０゜をいくらか越えて延びており、前記ブレード端部が、上側及び下側で面状に制限されたカッティングギャップを形成して周方向で互いにオーバラップさせられており、前記接地部から下方のシャフト端部に向かってブレードからブレードへ減少する外径をブレードが有している形式のものに関する。
【０００２】
このようなグラウンドアンカはＤＥ４４２４３３９Ｃ２号により公知である。このグラウンドアンカは実地において好評を博している。このグラウンドアンカは砂地状の地面においても良好な定着強度を有している。
【０００３】
本発明の課題は前記グラウンドアンカの定着強度をさらに高め、グラウンドアンカを容易に地面にねじ込むことができるように該グラウンドアンカを変更することである。
【０００４】
前記課題は、本発明によればシャフト先端が木ねじシャフトの形式で構成されており、下方の自由なシャフト先端に向かって円錐状に尖らされたコアと該コアを中心として回旋させられた連続したスクリュースレッドとを有していることにより解決された。
【０００５】
このようなシャフト先端を有するグラウンドアンカは地面にねじ込まれたあとで高い定着強度を有している。しかしながらより重要な意義は、グラウンドアンカを地面にねじ込むことが容易になることである。これは、木ねじ状のシャフト先端が、互いに間隔をおいて配置されたブレードを有するシャフトを下方へ引っ張り、ひいては互いに間隔をおいて配置されたブレードに、グラウンドアンカのねじ込みに際して引っ張り負荷がかかることに起因する。ブレードは下方へ引っ張られた状態で地面を切り進む。
【０００６】
本発明の別の構成によればシャフト先端のコアの領域におけるスクリュースレッドのリード角は、互いに間隔をおいて配置されたブレードのリード角よりも大きく設定されている。この増大されたリード角でシャフト先端はグラウンドアンカが地面へねじ込まれる際にグラウンドアンカを強められた力で下方へ引っ張る。
【０００７】
本発明の別の構成によればシャフト先端の領域におけるスクリュースレッドは、コアから外に向かって楔形に尖らされた横断面プロフィールを有している。楔形に尖らされた横断面プロフィールはシャフト先端を地面に穴を掘るボーリング工具のようにする。
【０００８】
本発明の別の構成によれば、スクリュースレッドの高さはシャフト先端の自由端における終端領域を除いてほぼ一定になっている。
【０００９】
本発明の別の構成によればシャフトにおけるシャフト先端が正確にセンタリングされている。正確なセンタリングは地面への軽くかつ綺麗な進入にとって重要である。
【００１０】
本発明の別の構成によれば揺動ヘッドにおいてボールソケットがクランプねじによって調節された揺動位置に係止可能である。このようにして揺動ヘッドの調節された位置の意図しない移動又は望まれない移動は阻止される。
【００１１】
本発明の別の構成によれば、クランプねじは芋ねじである。
【００１２】
本発明の別の構成によれば互いに間隔をおいて配置された最下位のブレードは下方の端縁にて、互いに間隔をおいて配置された残りのブレードに較べて強められた折曲げを有している。下方の終端縁におけるこの強められた折曲げは容易なねじ込みを促進する。
【００１３】
グラウンドアンカは地面にねじ込まれる場合に地面を解ぐすのでグラウンドアンカの定着力が小さくなると思われているが、これは誤りである。まさに地面が解ぐされることによりグラウンドアンカの定着性、ひいては負荷可能は高められる。
【００１４】
グラウンドアンカの寸法はその都度の使用条件に適合させられる。グラウンドアンカは最小寸法のものから、例えばテント係留のためのものから、建築分野で基礎を確保するために使用する大きな寸法のものまでがある。
【００１５】
以下、図面について本発明を説明する。
【００１６】
図にはシャフトを有するグラウンドアンカが示され、シャフトの上端には接地部と操作装置とが設けられている。シャフトの沿っては互いに間隔をおいて個々のスクリューブレードが配置されている。地面に進入する、下方に位置するシャフト先端は、木ねじシャフトとして構成されている。シャフト先端は円錐状に自由端部に向かって延びかつ外壁に連続した、スクリューリブとして構成されたスクリュースレッドを備えている。このスクリュースレッドのリード角は、互いに間隔をおいて配置された個々のスクリューブレードのリード角よりも大きい。
【００１７】
図示のグラウンドアンカ１は上端に接地部８を備えたシャフト３を有している。接地部８は皿８ａとカラー８ｂとから成り、カラー８ｂは完全に閉じられて皿８ａの縁部から下へ延びている。接地部８の直径は互いに間隔をおいてシャフト３に沿って分配されたスクリュースレッドブレード５，６，７の直径よりも例えば４ｃｍ大きい。前記スクリュースレッドブレード５，６，７についてはあとで詳しく説明する。直径差は４ｃｍよりも大きくてもよい。皿８ａには固定装置９が有利には溶接で取付けられている。シャフト３は皿８ａを通って固定装置９内に突入している。
【００１８】
シャフト３におけるブレード５，６，７は扁平な薄板材料から成っている。ブレード５，６，７は個々にシャフト３を中心として螺旋状に回旋させられかつ３６０゜の完全な巻条の長さよりもいくらか長いスレッド長さを有している。このような形式で各ブレードにおいて、上方のブレード端部１１と下方のブレード端部１２との間のオーバラップ領域には切断ギャップ１１ａが生じている。オーバラップは２５°から５５°に亘って延在していることができる。有利には３５°から４５゜のオーバラップが用いられる。ブレード５，６，７はシャフト３に対し半径方向の面内を延びている。ブレード５，６，７はその上方の端縁１１ｂでは有利にはブレード面１１ｃで終わっているのに対し、下方の端縁１２ｂは下方へ曲げられている。この場合、最下位のブレードの下方の端縁１２ｂの曲げは他のブレード５，６の下方の端縁の曲げよりも大きい。端縁１２ｂの曲げはグラウンドアンカのねじ込み作用にポジティブな影響を持つ。ブレード５，６，７のリードは互いに適合させられている。ブレード５，６，７の外径は接地部８からシャフト先端に向かって一様に減少する。最上位のブレード５は接地部８に対し間隔を有し、この間隔はブレード５，６，７相互間の間隔よりも小さいことが可能である。
【００１９】
操作装置９は例えば溶接により皿８に固定された揺動ヘッド１３を有している。この揺動ヘッド１３は外側に、図示されていない回転工具を係合させるために４角形又は６角形の形を有している。このような工具でグラウンドアンカは地面にねじ込まれる。揺動ヘッド１３はボールソケット状の溝１３ａを有している。この溝１３ａにはボールソケット１４ａが配置され、このボールソケット１４ａには例えば管１４が溶接されていることができる。管１４を有するボールソケット１４ａは限界内で所望の旋回位置へ調節されることができる。ボールソケット１４ａは旋回可能であるために底に透し孔１４ｂを備えている。ボールソケット１４ａ内にはクランプシェル１５が挿入されている。クランプシェル１５とボールソケット１４ａを通して揺動ヘッド１３のねじ孔１３ｂにねじ込まれた調節ねじ１７によってボールソケット１４ａは所望の位置でクランプシェル１５と固定的に結合される。このためにはボールソケット１４ａにおける透し孔１４ｂは十分に大きいことが必要である。管１４には例えばフェンスパイプ１８が接合されていることができる。固定ねじ１９は管１４と１８とを結合することができる。揺動ヘッド１３内には芋ねじ２０が設けられている。この芋ねじ２０は管１４にボールソケット１４ａの位置を整合させたあとでねじ込まれ、その際にボールソケット１４ａに対し押付けられ、芋ねじ２０はボールソケット１４ａ内に侵入し、ひいてはボールソケット１４ａを所定の旋回位置に固定する。
【００２０】
シャフト３の下方の端部２１には地面へのグラウンドアンカの進入を容易にする特別なシャフト先端が設けられている。シャフト先端２２は木ねじのシャフトの形式で構成されている。シャフト先端２２のコア２３はシャフト３の端部２１に有利には溶接されている。もちろん他の適当な固定形式も考えられかつ可能である。コア２３は固定個所２４から自由端に向かって円錐状に延び、アンカ先端２６を成している。シャフト先端２２にはコア２３を中心として連続したスクリュースレッドが延在している。
【００２１】
シャフト先端２２のコア２３の領域におけるスクリュースレッド２７のリード角は、互いに間隔をおいて配置されたブレード５，６，７のリード角よりも大きい。したがってシャフト先端２２はグラウンドアンカの引込み作用を改善する。
【００２２】
スクリュースレッド２７はシャフト先端２２の領域にコア２３から外へ楔状に尖らされた横断面プロフィールを有している。スクリュースレッド２７の高さはシャフト先端２２の自由端部２５における終端部２８を除いて、有利にはほぼ一定である。
【００２３】
シャフト３のシャフト先端２２が正確にセンタリングされていることは重要である。正確な中心的な位置決めは、グラウンドアンカが地面へねじ込まれる場合の誤動作を回避し、真直ぐな進入にとって大きな意義を持つ。
【００２４】
さらにブレードの周縁ははっきりと円形であると好ましい。これにより進入に必要とされる力は小さくなる。グラウンドアンカは鋼から形成され、有利にはガルバニ鍍金されていることができる。他の材料、例えばステンレス鋼も、導管保持のため又は建物の基礎のため又は他の形式の構造体のために適している。容易な固定のためには、例えばテントロープのためにはプラスチックを使用することもできる。
【図面の簡単な説明】
【００２５】
【図１】本発明によるグラウンドアンカを示した図。
【符号の説明】
【００２６】
１  グラウンドアンカ、  ３  シャフト、  ５，６，７  ブレード、  ８  接地部、  ９  操作装置、  １０  シャフト先端、  １１  ブレード端部、  １２  ブレード端部、  １３  揺動ヘッド、  １４  フェンスパイプ、  １５  クランプシェル、  １７  調節ねじ、  １９  固定ねじ、  ２０  芋ねじ、  ２１  下端部、  ２２  シャフト先端、  ２３  コア、  ２４  固定個所、  ２５  自由端部、  ２６  アンカ先端、  ２７  スクリュースレッド
【国際公開パンフレット】
2004520505.tif 000003
2004520505.tif 000004
2004520505.tif 000005
2004520505.tif 000006
2004520505.tif 000007
2004520505.tif 000008
2004520505.tif 000009
2004520505.tif 000010
2004520505.tif 000011
2004520505.tif 000012
【手続補正書】
【提出日】平成15年9月2日(2003.9.2)
【手続補正１】
【補正対象書類名】特許請求の範囲
【補正対象項目名】全文
【補正方法】変更
【補正の内容】
【特許請求の範囲】
【請求項１】
地面へねじ込むためのグラウンドアンカであって、接地部（８）とシャフト（３）とシャフト端部（２１）とに分けられており、
−グラウンドアンカが上方端部（８ａ）に、地面に支持可能な接地部（８）と操作装置（９）とを有し、
−前記シャフト（３）を中心として回旋させられた面状の材料から成る複数のスクリューブレード（５，６，７）を有し、該スクリューブレード（５，６，７）が前記シャフト（３）に沿って相互に間隔をおいて配置されかつ上方と下方のブレード端部（１１，１２）を有するスクリューブレードから成り、個々のブレード（５，６，７）のスクリュー長さが３６０゜よりいくらか大きく設定されて、ブレード端部（１１，１２）が上部と下部とにて面状に制限された切断ギャップを形成して周方向に互いにオーバラップし、前記接地部（８）から下方のシャフト端部（２１）に向かってブレードからブレードへ減少するブレード外径を有しており、
−前記シャフト端部（２１）がシャフト先端（２２）を有している形式のものにおいて、
−前記シャフト先端（２２）が自由な下方のシャフト端部（２５）に向かって円錐状に尖らされて構成されており、
−前記シャフト先端（２２）が木ねじシャフトの形式で構成され、円錐形に尖らされたコア（２３）を中心として螺旋状に回旋させられた、連続して延在するスクリュースレッド（２７）を有しており、
−前記スクリュースレッド（２７）が前記コア（２３）から外へ楔形に尖らされた横断面プロフィールを有していることを特徴とするグラウンドアンカ。
【請求項２】
前記シャフト先端（２２）のコア（２３）の領域におけるスクリュースレッド（２７）のリード角が、互いに間隔をおいて配置された前記ブレード（５，６，７）のリード角よりも大きい、請求項１記載のグラウンドアンカ。
【請求項３】
前記スクリュースレッド（２７）の高さが前記シャフト先端（２２）の自由端部（２５）における終端領域を除いてほぼ一定である、請求項１及び／又は２記載のグラウンドアンカ。
【請求項４】
前記シャフト先端（２２）が前記シャフト（３）に正確にセンタリングされている、請求項１から３までのいずれか１項記載のグラウンドアンカ。
【請求項５】
ボールソケット（１４ａ）が前記操作装置（９）の揺動ヘッド（１３）にてクランプねじ（２０）を用いて調節された揺動位置に係止可能である、請求項１から４までのいずれか１項記載のグラウンドアンカ。
【請求項６】
クランプねじ（２０）が芋ねじである、請求項１から５までのいずれか１項記載のグラウンドアンカ。
【請求項７】
互いに間隔をおいて配置された前記ブレード（５，６，７）の最下位のブレード（７）が、下方の端縁（１２ｂ）にて、互いに間隔をおいて配置された前記ブレード（５，６，７）の残りのブレード（５，６）に較べて増大された折れ曲がりを有している、請求項１から６までのいずれか１項記載のグラウンドアンカ。
【国際調査報告】
2004520505.tif 000013
2004520505.tif 000014
2004520505.tif 000015
2004520505.tif 000016